(57)【要約】【課題】簡易な構成で、防水性を保ちつつ、芳香材料の香りを楽しむことのできるアロマ機能付き電子機器を提供する。【解決手段】芳香材料２６を収納する芳香材料ケース２０と本体ケース１との間に防水機能と気体透過性とを有する封止部材２５を配置して、気化した芳香材料２６が封止部材２５を介して外部に放出されるように構成した。【選択図】図１
2010256105.tif 000002
【特許請求の範囲】
【請求項１】
電子部品を収納する本体ケースと、
この本体ケースの開口部を閉塞する閉塞部材と、
前記本体ケースと前記閉塞部材との間に配置され、防水機能を有する防水用封止部材と、
前記閉塞部材に係合され、芳香材料を収納する芳香材料ケースと、
この芳香材料ケースと前記閉塞部材との間に配置され、防水機能と気体透過性とを有する兼用封止部材と、
を備えていることを特徴とするアロマ機能付き電子機器。
【請求項２】
電子部品を収納する本体ケースと、
前記本体ケースに係合され、芳香材料を収納する芳香材料ケースと、
この芳香材料ケースと前記本体ケースとの間に配置され、防水機能と気体透過性とを有する兼用封止部材と、
を備えていることを特徴とするアロマ機能付き電子機器。
【請求項３】
前記芳香材料を加熱するヒータを内蔵していることを特徴とする請求項１又は請求項２に記載のアロマ機能付き電子機器。
【請求項４】
前記ヒータは、前記芳香材料ケースに設けられていることを特徴とする請求項３に記載のアロマ機能付き電子機器。
【請求項５】
前記芳香材料を加熱するヒータを内蔵し、このヒータは、前記閉塞部材に設けられていることを特徴とする請求項１に記載のアロマ機能付き電子機器。
【請求項６】
前記芳香材料ケースの外側表面には、断熱膜が設けられていることを特徴とする請求項３から請求項５のいずれか一項に記載のアロマ機能付き電子機器。
【請求項７】
前記芳香材料ケースは、着脱自在に設けられていることを特徴とする請求項１から請求項６のいずれか一項に記載のアロマ機能付き電子機器。
【請求項８】
前記芳香材料ケースは、交換可能なカートリッジであることを特徴とする請求項７に記載のアロマ機能付き電子機器。
【発明の詳細な説明】
【技術分野】
【０００１】
本発明は、アロマ機能付き電子機器に関するものである。
【背景技術】
【０００２】
従来、腕時計等の電子機器には、時間を確認する等の実用的な機能のほか、音を鳴らす等、様々な機能が設けられている。そして、例えば、特許文献１には、定刻になると一定時間芳香を放出するアロマ機能を有する時計が開示されている。
電子機器から香りを放出させ、ユーザが好みの香りを楽しむことができるようにすれば、リラックス効果や覚醒効果等を得ることができ、実用的な用途を超えたアイテムとして、電子機器の新たな可能性を広げることができる。
【先行技術文献】
【特許文献】
【０００３】
【特許文献１】特許第３９８９６１６号公報
【発明の概要】
【発明が解決しようとする課題】
【０００４】
しかしながら、特許文献１に記載されている技術は、置時計を想定したものであり、香りを放出させる機構として、装置内に送風モータと送風翼とを備えている。このため、例えば腕時計や携帯端末装置のような小型の電子機器にこの技術を適用することは難しい。
【０００５】
ユーザがいつでも好みの香りを楽しむことができるようにするためには、携帯可能な小型の電子機器に香りを放出させる機構を組み込むことが望まれる。そのためには、簡易な装置構成で、かつ十分に香りの放出効果を得られる機構を備える必要がある。
また、香りを発生させる芳香材料は液体である場合が多く、電子機器を携帯しているうちに芳香材料が外部に流れ出すことのないように十分な防水性を確保する必要がある。他方で、芳香材料を収納する空間を完全に密閉してしまうと香りが外部に放出されなくなるという問題もある。
【０００６】
そこで、本発明は、以上のような事情に鑑みてなされたものであり、簡易な構成で、防水性を保ちつつ、芳香材料の香りを楽しむことのできるアロマ機能付き電子機器を提供することを目的としている。
【課題を解決するための手段】
【０００７】
このような問題を解決するため、請求項１に記載の発明は、
電子部品を収納する本体ケースと、
この本体ケースの開口部を閉塞する閉塞部材と、
前記本体ケースと前記閉塞部材との間に配置され、防水機能を有する防水用封止部材と、
前記閉塞部材に係合され、芳香材料を収納する芳香材料ケースと、
この芳香材料ケースと前記閉塞部材との間に配置され、防水機能と気体透過性とを有する兼用封止部材と、を備えていることを特徴とするアロマ機能付き電子機器である。
【０００８】
請求項２に記載の発明は、
電子部品を収納する本体ケースと、
前記本体ケースに係合され、芳香材料を収納する芳香材料ケースと、
この芳香材料ケースと前記本体ケースとの間に配置され、防水機能と気体透過性とを有する兼用封止部材と、を備えていることを特徴とするアロマ機能付き電子機器である。
【０００９】
請求項３に記載の発明は、請求項１又は請求項２に記載のアロマ機能付き電子機器において、
前記芳香材料を加熱するヒータを内蔵していることを特徴としている。
【００１０】
請求項４に記載の発明は、請求項３に記載のアロマ機能付き電子機器において、
前記ヒータは、前記芳香材料ケースに設けられていることを特徴としている。
【００１１】
請求項５に記載の発明は、請求項１に記載のアロマ機能付き電子機器において、
前記芳香材料を加熱するヒータを内蔵し、このヒータは、前記閉塞部材に設けられていることを特徴としている。
【００１２】
請求項６に記載の発明は、請求項３から請求項５のいずれか一項に記載のアロマ機能付き電子機器において、
前記芳香材料ケースの外側表面には、断熱膜が設けられていることを特徴としている。
【００１３】
請求項７に記載の発明は、請求項１から請求項６のいずれか一項に記載のアロマ機能付き電子機器において、
前記芳香材料ケースは、着脱自在に設けられていることを特徴としている。
【００１４】
請求項８に記載の発明は、請求項７に記載のアロマ機能付き電子機器において、
前記芳香材料ケースは、交換可能なカートリッジであることを特徴としている。
【発明の効果】
【００１５】
防水機能と気体透過性とを併せ持つ封止部材を配置し、これを介して気化した芳香材料が外部に放出されるようにしているので、芳香材料が直接外部に流出することがなく、気化した芳香材料だけを外部に放出させることができる。
これにより、ユーザが身近に持ち運びことができるような小型の電子機器からユーザの好みの香りをいつでも香らせることができ、気分をリラックスさせ、心を落ち着かせたり、覚醒させたりする等、アロマテラピー効果を得ることができるとの効果を奏する。
【図面の簡単な説明】
【００１６】
【図１】本発明の第１の実施形態に係る腕時計の概略構成を示す断面図である。
【図２】カートリッジタイプの芳香材料ケースの一例を示す断面図である。
【図３】図２に示す芳香材料ケースの被覆部材を取り外した状態の斜視図である。
【図４】本発明の第２の実施形態に係る腕時計の概略構成を示す断面図である。
【発明を実施するための形態】
【００１７】
以下、図面を参照しつつ、本発明に係るアロマ機能付き電子機器の好適な実施形態について具体的に説明する。なお、本発明の範囲は図示例に限定されない。
【００１８】
［第１の実施形態］
先ず、図１を参照しつつ、本発明に係るアロマ機能付き電子機器の第１の実施形態を説明する。なお、本実施形態では、アロマ機能付き電子機器がアロマ機能の付いた腕時計である場合を例として説明する。
【００１９】
図１は、本実施形態に係るアロマ機能の付いた腕時計（以下、単に「腕時計」とする。）の概略構成を示す要部断面図である。
【００２０】
腕時計１００には、中空の短柱形状に形成された本体ケース１（時計ケース）が設けられている。本体ケース１は、例えばステンレスやチタン等の金属その他の材料で形成されており、腕時計１００における表面側（本体ケース１の視認側：図１における上側）端部に開口部１ａを有し、裏面側（図１における下側）端部に開口部１ｂを有している。
【００２１】
本体ケース１の表面側端部の開口部１ａには、透明なガラス等で形成された時計ガラス部材３が、開口部１ａを閉塞するように防水リング４を介して装着されている。
本体ケース１の内部には、時計ガラス部材３の裏面側（図１における下側の面）に対向して文字板５が配置されている。
また、時計ガラス部材３と文字板５との間には、本体ケース１の内周に沿って見切部材６が配置されている。
【００２２】
また、この本体ケース１の内部には、例えば樹脂等によって形成されたハウジング（図示せず）が設けられている。
ハウジングの内部には、時計ムーブメント（図示せず）、腕時計１００の各部に電力を供給するためのバッテリー（図示せず）、および受信回路等が設けられた図示しない回路基板等、各種の電子部品が収納されている。
【００２３】
本体ケース１の裏面側端部の開口部１ｂには、この本体ケース１に係合され開口部１ｂを閉塞する閉塞部材としての裏蓋部材７が取り付けられている。
【００２４】
本実施形態において、裏蓋部材７は、裏蓋本体７１と、裏蓋本体７１の視認側の周縁に沿って設けられ腕時計１００の本体ケース１に向かってほぼ垂直に立設された立ち上がり部７２と、裏蓋本体７１の周縁に連設されたフランジ部７３と、裏蓋本体７１の裏面側の周縁に沿って設けられ立ち上がり部７２とは反対方向にほぼ垂直に垂設されたケース係合部７４とを備えている。
【００２５】
裏蓋本体７１は、本体ケース１の開口部１ｂを閉塞する平板状の部材である。
本実施形態において、裏蓋本体７１の裏面側には、ヒータ９が設けられている。ヒータ９は、ハウジング内の図示しない回路基板と電気的に接続されており、図示しないボタン等を操作することにより任意にスイッチＯＮ／ＯＦＦできるように構成されている。なお、ヒータ９のスイッチは、一定時間が経過すると自動的にＯＦＦとなるように設定されていることが好ましい。
ヒータ９としては、例えば、ペルチェ素子の廃熱面を利用したサーモモジュール、発熱体をシリコンラバーでコーティングして一体成形したシリコンラバーヒータ、ニクロム線をシリコンゴムで被覆したコード状のヒータであるシリコンコードヒータ等を適用することが可能である。なお、ヒータ９は、後述する芳香材料２６に対して耐腐食性を有する小型の加熱装置であればよく、ここに例示したものに限定されない。
【００２６】
立ち上がり部７２の上部外周面には、裏蓋本体７１の外側方向に張り出した係合部７５が形成されている。本体ケース１の内周面であって、この係合部７５に対応する位置には、係合部７５と係合する係合凹部１１が設けられている。
【００２７】
また、フランジ部７３の視認側表面及び裏面側表面には、それぞれリング状の封止部材を嵌装するための溝部７６，７７が設けられている。本体ケース１において、フランジ部７３と対向する端面には、溝部７６に対応する位置に溝部１２が形成されている。この本体ケース１の溝部１２と、フランジ部７３の溝部７６との間には、防水機能を有する防水用封止部材８（以下単に「封止部材８」とする。）が配置されている。
封止部材８を形成する材料としては、例えばニトリルゴムやブチルゴム等を適用することができる。なお、封止部材８を形成する材料はこれに限定されず、十分な防水性を確保できる材料であれば、各種材料を適用可能である。
本実施形態では、本体ケース１の係合凹部１１に裏蓋部材７の係合部７５が係合されると、防水用の封止部材８を介して裏蓋部材７が本体ケース１に固定されるようになっている。
【００２８】
ケース係合部７４には、芳香材料２６を収納する芳香材料ケース２０が着脱可能に取り付けられている。ケース係合部７４の外周面には、雄ネジ７８が刻設されており、芳香材料ケース２０の内周面には、この雄ネジ７８と螺合する雌ネジ２１が形成されている。
【００２９】
また、芳香材料ケース２０において、フランジ部７３と対向する端面には、溝部７７に対応する位置に溝部２２が形成されている。この芳香材料ケース２０の溝部２２と、フランジ部７３の溝部７７との間には、防水機能と気体透過性とを有する兼用封止部材２５（以下単に「封止部材２５」とする。）が配置されている。
【００３０】
この防水機能と気体透過性とを有する封止部材２５を形成する材料としては、例えばシリコンゴムを好適に用いることができる。なお、封止部材２５を形成する材料は、十分な防水機能と気体透過性とを併せ持つ材料であればよく、シリコンゴムに限定されない。
例えば、ニトリルゴムやブチルゴム等であってもよい。シリコンゴムの気体透過性（cc・cm／cm2・sec・atm）が４００であるのに対して、ニトリルゴムの気体透過性は０．３〜３．５、ブチルゴムの気体透過性は０．９〜１．０と比較的低いが、例えば、ブチルゴムの場合、芳香材料２６を５０℃〜６０℃に加熱することにより、気化した芳香材料２６が封止部材２５を透過する。これにより外部に十分に香りを放出させることが可能となる。
なお、気体透過性が高過ぎると、気化した芳香材料が透過しすぎて香りが強くなりすぎるおそれがある。また、防水機能が低下するおそれもある。このため、封止部材２５を形成する材料の気体透過性は、３００〜６００程度であることが好ましい。
【００３１】
本実施形態では、ケース係合部７４の雄ネジ７８に芳香材料ケース２０の雌ネジ２１を螺合させることにより、芳香材料ケース２０が裏蓋部材７と封止部材２５とを介して本体ケース１と一体化するようになっている。
【００３２】
芳香材料ケース２０の内部には、液体状の芳香材料２６が収納されている。芳香材料２６は、例えば、各種の香水、アロマオイル等であり、ユーザが任意の芳香材料２６を入れることができることが好ましい。なお、芳香材料２６の種類はここに例示したものに限定されず、気化させることによって香りを放出させることができるものであれば適用可能である。
【００３３】
また、芳香材料ケース２０の外側表面には断熱塗装を施すことにより形成された断熱膜２７が設けられており、ヒータ９の発熱による熱が腕時計１００を装着するユーザの腕に直接伝わらないようになっている。
【００３４】
次に、本実施形態における作用について説明する。
【００３５】
本実施形態においては、まず、ユーザが任意の芳香材料２６を芳香材料ケース２０内に適量収納する。次に、芳香材料ケース２０の溝部２２と、裏蓋部材７のフランジ部７３の溝部７７との間に、封止部材２５を配置した上で、芳香材料ケース２０の雌ネジ２１を裏蓋部材７のケース係合部７４に設けられている雄ネジ７８と螺合させる。これにより、芳香材料ケース２０が裏蓋部材７と封止部材２５を介して本体ケース１と一体化される。
ユーザが図示しないボタンを操作してヒータ９のスイッチをＯＮとすることにより、ヒータ９が発熱し、芳香材料ケース２０内の芳香材料２６が加熱される。これにより、芳香材料２６が徐々に気化して、芳香材料ケース２０と裏蓋部材７のケース係合部７４との螺合部分を通過し、さらに、封止部材２５を透過して外部に放出される。
ヒータ９がＯＦＦとなるか、芳香材料ケース２０内の芳香材料２６が全て気化して外部に放出されると、香りの放出が停止する。
【００３６】
以上のように、本実施形態によれば、ユーザが芳香材料ケース２０内に収納した任意の芳香材料２６をヒータ９で加熱することによって徐々に気化させて、腕時計１００の外部から香りを嗅ぐことができるようにすることができる。
これにより、ユーザの好みの香りをいつでも手元から香らせることができ、気分をリラックスさせ、心を落ち着かせたり、覚醒させたりする等、アロマテラピー効果を得ることができる。
【００３７】
また、芳香材料ケース２０と裏蓋部材７との間に、防水機能と気体透過性とを併せ持つ封止部材２５を配置し、これを介して気化した芳香材料２６が外部に放出されるようにしているので、外部からの水の浸入を防止することができるとともに、液状の芳香材料２６が直接外部に流出することがなく、気化した芳香材料２６だけを外部に放出させることができる。
【００３８】
また、ＯＮ／ＯＦＦのスイッチングが可能なヒータ９によって芳香材料２６を気化させるので、ユーザの任意のときに香りを放出させることができる。
【００３９】
また、ヒータ９が、裏蓋部材７の側に設けられているので、腕時計１００の外部に熱が伝わり難く、ユーザの腕に密着する部分の温度が上がり過ぎないように抑えることができる。
【００４０】
また、芳香材料ケース２０の外側表面に断熱膜２７が設けられているので、ヒータ９の発熱により芳香材料ケース２０が加熱されても、ユーザの腕に密着する部分の温度を保つことができ、やけど等の事故を防ぐことができる。
【００４１】
また、芳香材料ケース２０が裏蓋部材７に螺合しており、着脱自在となっているため、ユーザが簡易に芳香材料ケース２０内に好みの芳香材料２６を入れることができる。
【００４２】
なお、本実施形態では、芳香材料ケース２０の外側表面に断熱膜２７が設けられている構成としたが、断熱膜２７は必須の構成要素ではない。ヒータ９の発熱温度が比較的低く芳香材料ケース２０の表面温度がそれほど高温にならない構成の場合には、断熱膜２７を設けない構成とすることもできる。
【００４３】
また、本実施形態では、断熱塗装を施すことにより断熱膜２７を構成する場合を例として説明したが、断熱膜２７は、断熱塗装を施すことにより形成されるものに限定されない。
さらに、断熱膜２７の代わりに、芳香材料ケース２０とヒータ９との間に断熱材を配置する等により、ヒータ９の熱が外部に伝わらないようにする構成としてもよい。
【００４４】
また、本実施形態では、ヒータ９が裏蓋部材７の裏面側（図１における下側）に設けられている場合を例としたが、ヒータ９の設けられる位置はこれに限定されない。例えば、裏蓋部材７の表面側（図１における上側）にヒータ９を配置する構成としてもよいし、芳香材料ケース２０の内側にヒータ９を配置する構成としてもよい。
【００４５】
また、本実施形態では、芳香材料ケース２０と裏蓋部材７とを螺合させることにより固定する構成としたが、芳香材料ケース２０を裏蓋部材７に固定する構成はこれに限定されない。例えば、本体ケース１と裏蓋部材７との固定部分と同様に、一方に係合部を設け、他方にこれと係合する係合凹部を設けて互いに係合させることにより固定する構成としてもよい。
【００４６】
また、本実施形態では、本体ケース１と裏蓋部材７とを係合させることにより固定する構成としたが、裏蓋部材７を本体ケース１に固定する構成はこれに限定されない。例えば、芳香材料ケース２０と裏蓋部材７との固定部分と同様に、一方に雄ネジを設け、他方にこれと螺合する雌ネジを設けて互いに螺合させることにより固定する構成としてもよい。
【００４７】
また、芳香材料ケース２０の部分は、取替え可能なカートリッジとなっていてもよい。
図２は、カートリッジタイプの芳香材料ケースの一例を示した断面図である。
図２に示すように、カートリッジタイプの芳香材料ケース３０は、上部（すなわち、裏蓋部材７に取り付けられる側）に開口部３１を有している皿状の部材である。
【００４８】
芳香材料ケース３０の上部には、開口部３１を被覆する被覆部材３２が張設されている。被覆部材３２は、側壁部３３の上端面に接着剤等で固定されており、芳香材料ケース３０は、裏蓋部材７に取り付ける際にユーザが被覆部材３２を剥がして使用するようになっている。
【００４９】
図３は、被覆部材３２を取り外した状態の芳香材料ケース３０を示した斜視図である。
図２及び図３に示すように、側壁部３３の内側面上部に裏蓋部材７のケース係合部７４に設けられている雄ネジ７８と螺合する雌ネジ３４が形成されている。また、側壁部３３の上端面には、裏蓋部材７側の溝部７７に対応する位置に、封止部材２５が嵌装される溝部３５が設けられている。
芳香材料ケース３０内には、例えばゲル状の芳香材料３６が配置されており、芳香材料ケース３０を裏蓋部材７に装着して使用した際にヒータ９によって芳香材料３６が加熱され、気化するようになっている。
【００５０】
なお、芳香材料ケース３０は、例えば、ラベンダーの香りのする芳香材料、バラの香りのする芳香材料等、芳香材料３６の種類毎に複数用意されていることが好ましく、被覆部材３２の表面に、芳香材料３６の種別が明記されていることが好ましい。
【００５１】
このように、芳香材料ケース３０をカートリッジタイプとすることにより、ユーザの気分等に応じて、自由かつ簡易に芳香材料３６を変えることができる。
また、カートリッジタイプとすれば、芳香材料３６を取り替えた場合に香りが混ざり合うこともなく、好ましい。
【００５２】
［第２の実施形態］
次に、図４を参照しつつ、本発明に係るアロマ機能付き電子機器の第２の実施形態について説明する。本実施形態においても、アロマ機能付き電子機器がアロマ機能の付いた腕時計である場合を例として説明する。なお、以下においては、特に第１の実施形態と異なる部分について説明する。
【００５３】
図４は、本実施形態に係る腕時計２００の概略構成を示す要部断面図である。
図４に示すように、本実施形態において、腕時計２００は、本体ケース４０と裏蓋部材５０とを備えている。
本体ケース４０内には、図示しないハウジング等が収納される収納部と、芳香材料等が収納される収納部とを隔絶する隔壁部材４１が設けられている。
【００５４】
本体ケース４０の裏面側端部の開口部４０ｂには、この本体ケース１に係合され開口部４０ｂを閉塞する閉塞部材としての裏蓋部材５０が取り付けられている。
【００５５】
本実施形態において、裏蓋部材５０は、裏蓋本体５１と、裏蓋本体５１の視認側の周縁に沿って設けられ腕時計２００の本体ケース４０に向かってほぼ垂直に立設された立ち上がり部５２と、裏蓋本体５１の周縁に連設されたフランジ部５３とを備えている。
本実施形態において、裏蓋本体５１と立ち上がり部５２とによって形成される空間は、芳香材料２６が収納される収納部５０ａとなっており、裏蓋本体５１は、芳香材料２６を収納する芳香材料ケースとしても機能する。
【００５６】
裏蓋本体５１は、本体ケース４０の開口部４０ｂを閉塞する平板状の部材である。
裏蓋本体５１の視認側（すなわち、表面側。本体ケース４０に対向する側）には、ヒータ５４が設けられている。
なお、裏蓋部材５０の外側表面には断熱膜５８が設けられており、ヒータ５４の発熱による熱が腕時計２００を装着するユーザの腕に直接伝わらないようになっている。
【００５７】
立ち上がり部５２の上部外周面には、裏蓋本体５１の外側方向に張り出した係合部５５が形成されている。本体ケース４０の内周面であって、この係合部５５に対応する位置には、係合部５５と係合する係合凹部４２が設けられている。
【００５８】
また、フランジ部５３の視認側表面には、フランジ部５３の周面に沿って溝部５６が設けられている。本体ケース４０において、フランジ部５３と対向する端面には、溝部５６に対応する位置に溝部４３が形成されている。この本体ケース４０の溝部４３と、フランジ部５３の溝部５６との間には、防水機能と気体透過性とを有する兼用封止部材としてのリング状の封止部材５７が配置されている。
本実施形態では、本体ケース４０の係合凹部４２に裏蓋部材５０の係合部５５が係合されると、防水機能と気体透過性とを有する封止部材５７を介して裏蓋部材５０が本体ケース４０に固定されるようになっている。
【００５９】
封止部材５７は、第１の実施形態における封止部材２５と同様に、例えばシリコンゴム等により形成されている。なお、封止部材５７を形成する材料がシリコンゴムに限定されず、防水機能と気体透過性と併せ持つ各種の材料を適用可能であることは、第１の実施形態における封止部材２５と同様である。
【００６０】
なお、その他の構成は、第１の実施形態と同様であるため、同一の部材には同一の符号を付して、その説明を省略する。
【００６１】
次に、本実施形態における作用について説明する。
【００６２】
本実施形態においては、まず、ユーザが任意の芳香材料２６を裏蓋部材５０の収納部５０ａ内に適量収納する。次に、本体ケース４０の溝部４３と、裏蓋部材５０のフランジ部５３の溝部５６との間に、封止部材５７を配置した上で、裏蓋部材５０を本体ケース４０に嵌め込み、裏蓋部材５０の係合部５５を本体ケース４０の係合凹部４２に係合させる。
ユーザが図示しないボタンを操作してヒータ５４のスイッチをＯＮとすることにより、ヒータ５４が発熱し、収納部５０ａ内の芳香材料２６が加熱される。これにより、芳香材料２６が徐々に気化して、本体ケース４０と裏蓋部材５０との係合部分を通過し、さらに、封止部材５７を透過して外部に放出される。
ヒータ５４がＯＦＦとなるか、収納部５０ａ内の芳香材料２６が全て気化して外部に放出されると、香りの放出が停止する。
【００６３】
以上のように、本実施形態によれば、ユーザが収納部５０ａ内に収納した任意の芳香材料２６をヒータ５４で加熱することによって徐々に気化させて、腕時計２００の外部から香りを嗅ぐことができるようにすることができる。
これにより、ユーザの好みの香りをいつでも手元から香らせることができ、気分をリラックスさせ、心を落ち着かせたり、覚醒させたりする等、アロマテラピー効果を得ることができる。
【００６４】
また、本実施形態では、裏蓋部材５０が芳香材料ケースを兼ねるとともに、本体ケース４０と裏蓋部材５０との間に配置された封止部材５７が、防水機能と気体透過性とを併せ持っているため、本体ケース４０と裏蓋部材５０との間の防水用の封止部材と、気化した芳香材料２６を外部に放出させるための気体透過性のある封止部材とを兼ねる構成となっている。このため、部品点数及び組立工数を減らすことができ、機器の小型化を図ることができるとともに、コストの削減を図ることができる。
【００６５】
また、ヒータ５４が、芳香材料ケースとして機能する裏蓋部材５０の側に設けられているので、芳香材料２６をより直接的に加熱し、気化させることができる。
【００６６】
なお、本実施形態では、裏蓋部材５０の外側表面に断熱膜５８が設けられている構成としたが、断熱膜５８は必須の構成要素ではない。ヒータ５４の発熱温度が比較的低く裏蓋部材５０の表面温度がそれほど高温にならない構成の場合には、断熱膜５８を設けない構成とすることもできる。
また、断熱膜５８の代わりに、裏蓋部材５０とヒータ５４との間に断熱材を配置する等により、ヒータ５４の熱が外部に伝わらないようにする構成としてもよい。
【００６７】
また、本実施形態では、ヒータ５４が裏蓋部材５０に設けられている場合を例としたが、ヒータ５４の設けられる位置はこれに限定されない。例えば、本体ケース４０の隔壁部材４１の上部又は下部にヒータ５４を配置する構成としてもよい。
【００６８】
また、本実施形態では、本体ケース４０と裏蓋部材５０とを係合させることにより固定する構成としたが、裏蓋部材５０を本体ケース４０に固定する構成はこれに限定されない。例えば、一方に雄ネジを設け、他方にこれと螺合する雌ネジを設けて互いに螺合させることにより固定する構成としてもよい。
【００６９】
なお、その他、本発明が上記各本実施形態に限らず適宜変更可能であるのは勿論である。
【００７０】
例えば、上記各本実施形態においては、芳香材料ケース（又は芳香材料ケースを兼ねる裏蓋部材）内に直接液体状の芳香材料を注入し収納する例を示したが、芳香材料の収納の仕方はこれに限定されない。例えば、芳香材料ケース（又は裏蓋部材）内に芳香材料２６を含浸させる芯材を設けて、これに液体状の芳香材料を染み込ませるようにしてもよい。
また、芳香材料は、液体状のものに限定されず、例えばゲル状等、固形のものでもよい。
【００７１】
また、上記各実施形態では、芳香材料ケース（又は芳香材料ケースを兼ねる裏蓋部材）の部分が着脱可能である場合を例としたが、本体ケースと芳香材料ケース（又は裏蓋部材）とが防水機能と気体透過性とを併せ持つ封止部材を介して一体化されていればよく、ユーザが取り外しできない構成となっていてもよい。
この場合には、芳香材料ケース（又は芳香材料ケースを兼ねる裏蓋部材）の側部等に芳香材料２６を注入するための注入口を設けるようにする。
【００７２】
また、上記各実施形態では、芳香材料を気化させるためのヒータを設ける構成としたが、ヒータは必須の構成要素ではない。例えば、芳香材料として、人の体温程度の比較的低い温度でも気化するものを用いたり、芳香材料ケース（又は芳香材料ケースを兼ねる裏蓋部材）として熱伝導率の高いものを用いる等により、ヒータを用いなくても芳香材料を気化させることができる場合には、ヒータを設けない構成とすることもできる。
【００７３】
また、上記各実施形態において、防水用封止部材、兼用封止部材を交換可能なものとしてもよい。封止部材は消耗しやすい部材であることから、この部材を交換可能とすることにより、電子機器全体の長寿命化を図ることができる。
【００７４】
また、腕時計は、アナログ方式、デジタル方式のいずれであってもよい。また、腕時計の形状は、特に限定されず、円形の他、例えば四角形、楕円形等でもよい。
【００７５】
また、上記実施形態では、アロマ機能付き電子機器がアロマ機能の付いた腕時計である場合を例として示したが、アロマ機能付き電子機器は腕時計に限られない。例えば、携帯電話やＰＤＡ等の各種携帯端末装置、携帯型の音楽再生装置、小型ラジオ等に本発明を適用してもよい。
【符号の説明】
【００７６】
１      本体ケース
７      裏蓋部材
８      封止部材（防水用封止部材）
９      ヒータ
１１    係合凹部
１２    溝部
２０    芳香材料ケース
２１    雌ネジ
２２    溝部
２５    封止部材（兼用封止部材）
２６    芳香材料
２７    断熱膜
７２    立ち上がり部
７３    フランジ部
７４    ケース係合部
７５    係合部
７６    溝部
７７    溝部
７８    雄ネジ
１００  腕時計
【図１】
2010256105.tif 000003
【図２】
2010256105.tif 000004
【図３】
2010256105.tif 000005
【図４】
2010256105.tif 000006